【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
マクロノードと１つまたは複数の他のタイプのノードとを有するセルのクラスタに属するノードによるワイヤレス通信のための方法であって、
前記クラスタ内の前記ノードを一意に識別する３次同期信号（ＴＳＳ）を送信すること、なお、前記クラスタが１次同期信号（ＰＳＳ）と２次同期信号（ＳＳＳ）とによって識別され、前記ＴＳＳは、ユーザ機器（ＵＥ）が前記ＴＳＳから前記ＰＳＳおよびＳＳＳを判断し得るように、前記ＰＳＳおよびＳＳＳにリンクされる、を備える、方法。
【請求項２】
前記ＰＳＳおよびＳＳＳを送信することをさらに備える、請求項１に記載の方法。
【請求項３】
前記ＰＳＳおよびＳＳＳは、第１の能力をもつ第１のタイプのＵＥが前記クラスタを識別することを可能にし、
前記ＰＳＳ、ＳＳＳ、およびＴＳＳは、第２のタイプのＵＥが、前記クラスタを識別し、前記ノードを一意に識別することを可能にする、請求項１に記載の方法。
【請求項４】
前記ＴＳＳが、ＰＳＳおよびＳＳＳの関数であるスクランブリングコードを用いて生成される、請求項１に記載の方法。
【請求項５】
前記クラスタ中の異なるノードが、異なる周期性でそれぞれのＴＳＳを送信する、請求項１に記載の方法。
【請求項６】
ＴＳＳがＰＳＳおよびＳＳＳよりも低い頻度で送信される、請求項１に記載の方法。
【請求項７】
ＴＳＳを送信することが、イベントを検出することを条件とする、請求項１に記載の方法。
【請求項８】
前記イベントが、ユーザ機器（ＵＥ）から送信された信号を検出することを備える、請求項７に記載の方法。
【請求項９】
異なるノードが、異なる時間リソースまたは異なる周波数リソースのうちの少なくとも１つを使用してそれらのそれぞれのＴＳＳを送信する、請求項１に記載の方法。
【請求項１０】
特定のノードは、
前記ＴＳＳを送信するために使用される周波数リソースおよび／または時間リソースのロケーション、
使用される特定のシーケンス、
他のノードにとって利用可能な共通シーケンスのシフト、
前記ＴＳＳを生成する際に使用されるスクランブリングコード、
前記ＴＳＳを送信するためにどのアンテナポートが使用されるか、または
ＴＳＳを送信するために使用されるアンテナポートの密度
のうちの少なくとも１つによって一意に識別される、請求項１に記載の方法。
【請求項１１】
前記ＴＳＳは、チャネル状態情報基準信号（ＣＳＩ−ＲＳ）を備える、請求項１に記載の方法。
【請求項１２】
マクロノードと１つまたは複数の他のタイプのノードとを有するセルのクラスタ内のユーザ機器（ＵＥ）によるワイヤレス通信のための方法であって、
３次同期信号（ＴＳＳ）を検出することと、なお、前記クラスタが１次同期信号（ＰＳＳ）と２次同期信号（ＳＳＳ）とによって識別される、
前記ＴＳＳから前記ＰＳＳおよびＳＳＳを判断することと、
前記ＴＳＳを送信した前記クラスタ内のノードを識別することと
を備える、方法。
【請求項１３】
前記ＰＳＳおよびＳＳＳを受信することと、
前記ＰＳＳおよびＳＳＳに基づいて前記クラスタを識別することと
をさらに備える、請求項１２に記載の方法。
【請求項１４】
前記ＰＳＳおよびＳＳＳは、第１の能力をもつ第１のタイプのＵＥが前記クラスタを識別することを可能にし、
前記ＰＳＳ、ＳＳＳ、およびＴＳＳは、第２のタイプのＵＥが、前記クラスタを識別し、前記ノードを一意に識別することを可能にする、請求項１２に記載の方法。
【請求項１５】
前記ＴＳＳが、ＰＳＳおよびＳＳＳの関数であるスクランブリングコードを用いて生成される、請求項１２に記載の方法。
【請求項１６】
前記クラスタ中の異なるノードが、異なる周期性でそれぞれのＴＳＳを送信する、請求項１２に記載の方法。
【請求項１７】
ＴＳＳがＰＳＳおよびＳＳＳよりも低い頻度で送信される、請求項１２に記載の方法。
【請求項１８】
異なるノードが、異なる時間リソースまたは異なる周波数リソースのうちの少なくとも１つを使用してそれらのそれぞれのＴＳＳを送信する、請求項１２に記載の方法。
【請求項１９】
前記ＴＳＳは、チャネル状態情報基準信号（ＣＳＩ−ＲＳ）を備える、請求項１２に記載の方法。
【請求項２０】
前記ＵＥは、
前記ＴＳＳを送信するために使用される周波数リソースおよび／または時間リソースのロケーション、
使用される特定のシーケンス、
他のノードにとって利用可能な共通シーケンスのシフト、
前記ＴＳＳを生成する際に使用されるスクランブリングコード、
前記ＴＳＳを送信するためにどのアンテナポートが使用されるか、または
ＴＳＳを送信するために使用されるアンテナポートの密度
のうちの少なくとも１つによって前記ノードを一意に識別する、請求項１２に記載の方法。
【請求項２１】
前記ＴＳＳに基づく基準信号受信電力（ＲＳＲＰ）測定、または
前記ＴＳＳに基づく経路損失（ＰＬ）測定
のうちの少なくとも１つを実行することをさらに備える、請求項１２に記載の方法。
【請求項２２】
マクロノードと１つまたは複数の他のタイプのノードとを有するセルのクラスタに属するノードによるワイヤレス通信のための装置であって、
前記クラスタ内の前記ノードを一意に識別する３次同期信号（ＴＳＳ）を送信するための手段、なお、前記クラスタが１次同期信号（ＰＳＳ）と２次同期信号（ＳＳＳ）とによって識別され、前記ＴＳＳは、ユーザ機器（ＵＥ）が前記ＴＳＳから前記ＰＳＳおよびＳＳＳを判断し得るように、前記ＰＳＳおよびＳＳＳにリンクされる、を備える、装置。
【請求項２３】
前記ＴＳＳは、チャネル状態情報基準信号（ＣＳＩ−ＲＳ）を備える、請求項２２に記載の装置。
【請求項２４】
マクロノードと１つまたは複数の他のタイプのノードとを有するセルのクラスタ内のユーザ機器（ＵＥ）によるワイヤレス通信のための装置であって、
３次同期信号（ＴＳＳ）を検出するための手段と、前記クラスタが１次同期信号（ＰＳＳ）と２次同期信号（ＳＳＳ）とによって識別される、
前記ＴＳＳから前記ＰＳＳおよびＳＳＳを判断するための手段と、
前記ＴＳＳを送信した前記クラスタ内のノードを識別するための手段と
を備える、装置。
【請求項２５】
前記ＴＳＳは、チャネル状態情報基準信号（ＣＳＩ−ＲＳ）を備える、請求項２４に記載の装置。
【請求項２６】
マクロノードと１つまたは複数の他のタイプのノードとを有するセルのクラスタに属するノードによるワイヤレス通信のための装置であって、
前記クラスタ内の前記ノードを一意に識別する３次同期信号（ＴＳＳ）を送信することを行うように構成された少なくとも１つのプロセッサと、なお、前記クラスタが１次同期信号（ＰＳＳ）と２次同期信号（ＳＳＳ）とによって識別され、前記ＴＳＳは、ユーザ機器（ＵＥ）が前記ＴＳＳから前記ＰＳＳおよびＳＳＳを判断し得るように、前記ＰＳＳおよびＳＳＳにリンクされる、
前記少なくとも１つのプロセッサに結合されたメモリと
を備える、装置。
【請求項２７】
前記ＴＳＳは、チャネル状態情報基準信号（ＣＳＩ−ＲＳ）を備える、請求項２６に記載の装置。
【請求項２８】
マクロノードと１つまたは複数の他のタイプのノードとを有するセルのクラスタ内のユーザ機器（ＵＥ）によるワイヤレス通信のための装置であって、
３次同期信号（ＴＳＳ）を検出することと、なお、前記クラスタが１次同期信号（ＰＳＳ）と２次同期信号（ＳＳＳ）とによって識別される、前記ＴＳＳを送信した前記クラスタ内のノードを識別することと
前記ＴＳＳから前記ＰＳＳおよびＳＳＳを判断することと
を行うように構成された少なくとも１つのプロセッサと、
前記少なくとも１つのプロセッサに結合されたメモリと
を備える、装置。
【請求項２９】
前記ＴＳＳは、チャネル状態情報基準信号（ＣＳＩ−ＲＳ）を備える、請求項２８に記載の装置。
【請求項３０】
マクロノードと１つまたは複数の他のタイプのノードとを有するセルのクラスタに属するノードによるワイヤレス通信のための、命令を記憶した非一時的なコンピュータ可読媒体であって、前記コンピュータ可読媒体は、
前記クラスタ内の前記ノードを一意に識別する３次同期信号（ＴＳＳ）を送信すること、なお、前記クラスタが１次同期信号（ＰＳＳ）と２次同期信号（ＳＳＳ）とによって識別され、前記ＴＳＳは、ユーザ機器（ＵＥ）が前記ＴＳＳから前記ＰＳＳおよびＳＳＳを判断し得るように、前記ＰＳＳおよびＳＳＳにリンクされる、を行うための命令を記憶した、非一時的なコンピュータ可読媒体。
【請求項３１】
前記ＴＳＳは、チャネル状態情報基準信号（ＣＳＩ−ＲＳ）を備える、請求項３０に記載の装置。
【請求項３２】
マクロノードと１つまたは複数の他のタイプのノードとを有するセルのクラスタ内のユーザ機器（ＵＥ）によるワイヤレス通信のための、命令を記憶した非一時的なコンピュータ可読媒体であって、前記コンピュータ可読媒体は、
３次同期信号（ＴＳＳ）を検出することと、なお、前記クラスタが１次同期信号（ＰＳＳ）と２次同期信号（ＳＳＳ）とによって識別される、
前記ＴＳＳから前記ＰＳＳおよびＳＳＳを判断することと、
前記ＴＳＳを送信した前記クラスタ内のノードを識別することと
を行うための命令を記憶した、非一時的なコンピュータ可読媒体。
【請求項３３】
前記ＴＳＳは、チャネル状態情報基準信号（ＣＳＩ−ＲＳ）を備える、請求項３２に記載の非一時的なコンピュータ可読媒体。
【手続補正２】
【補正対象書類名】明細書
【補正対象項目名】０１１０
【補正方法】変更
【補正の内容】
【０１１０】
[0119]開示する実施形態の前述の説明は、当業者が本開示を実施または使用することができるようにするために与えたものである。これらの実施形態への様々な修正は当業者には容易に明らかであり、本明細書で定義した一般原理は、本開示の趣旨または範囲から逸脱することなく他の実施形態に適用され得る。したがって、本開示は、本明細書で示した実施形態に限定されるものではなく、本明細書で開示する原理および新規の特徴に一致する最も広い範囲を与られるべきである。
以下に本願発明の当初の特許請求の範囲に記載された発明を付記する。
［Ｃ１］
マクロノードと１つまたは複数の他のタイプのノードとを有するセルのクラスタに属するノードによるワイヤレス通信のための方法であって、
前記クラスタ内の前記ノードを一意に識別する３次同期信号（ＴＳＳ）を送信すること、なお、前記クラスタが１次同期信号（ＰＳＳ）と２次同期信号（ＳＳＳ）とによって識別される、を備える、方法。
［Ｃ２］
前記ＰＳＳおよびＳＳＳを送信することをさらに備える、Ｃ１に記載の方法。
［Ｃ３］
前記ＰＳＳおよびＳＳＳは、第１の能力をもつ第１のタイプのＵＥが前記クラスタを識別することを可能にし、
前記ＰＳＳ、ＳＳＳ、およびＴＳＳは、第２のタイプのＵＥが、前記クラスタを識別し、前記ノードを一意に識別することを可能にする、Ｃ１に記載の方法。
［Ｃ４］
前記ＴＳＳは、ユーザ機器（ＵＥ）が前記ＴＳＳから前記ＰＳＳおよびＳＳＳを判断し得るように、前記ＰＳＳおよびＳＳＳにリンクされる、Ｃ１に記載の方法。
［Ｃ５］
前記ＴＳＳが、ＰＳＳおよびＳＳＳの関数であるスクランブリングコードを用いて生成される、Ｃ４に記載の方法。
［Ｃ６］
前記クラスタ中の異なるノードが、異なる周期性でそれぞれのＴＳＳを送信する、Ｃ１に記載の方法。
［Ｃ７］
ＴＳＳがＰＳＳおよびＳＳＳよりも低い頻度で送信される、Ｃ１に記載の方法。
［Ｃ８］
ＴＳＳを送信することが、イベントを検出することを条件とする、Ｃ１に記載の方法。
［Ｃ９］
前記イベントが、ユーザ機器（ＵＥ）から送信された信号を検出することを備える、Ｃ１に記載の方法。
［Ｃ１０］
異なるノードが、異なる時間リソースまたは異なる周波数リソースのうちの少なくとも１つを使用してそれらのそれぞれのＴＳＳを送信する、Ｃ１に記載の方法。
［Ｃ１１］
特定のノードは、
前記ＴＳＳを送信するために使用される周波数リソースおよび／または時間リソースのロケーション、
使用される特定のシーケンス、
他のノードにとって利用可能な共通シーケンスのシフト、
前記ＴＳＳを生成する際に使用されるスクランブリングコード、
前記ＴＳＳを送信するためにどのアンテナポートが使用されるか、または
ＴＳＳを送信するために使用されるアンテナポートの密度のうちの少なくとも１つによって一意に識別される、Ｃ１に記載の方法。
［Ｃ１２］
マクロノードと１つまたは複数の他のタイプのノードとを有するセルのクラスタ内のユーザ機器（ＵＥ）によるワイヤレス通信のための方法であって、
３次同期信号（ＴＳＳ）を検出することと、なお、前記クラスタが１次同期信号（ＰＳＳ）と２次同期信号（ＳＳＳ）とによって識別される、
前記ＴＳＳを送信した前記クラスタ内のノードを識別することとを備える、方法。
［Ｃ１３］
前記ＰＳＳおよびＳＳＳを受信することと、
前記ＰＳＳおよびＳＳＳに基づいて前記クラスタを識別することとをさらに備える、Ｃ１２に記載の方法。
［Ｃ１４］
前記ＰＳＳおよびＳＳＳは、第１の能力をもつ第１のタイプのＵＥが前記クラスタを識別することを可能にし、
前記ＰＳＳ、ＳＳＳ、およびＴＳＳは、第２のタイプのＵＥが、前記クラスタを識別し、前記ノードを一意に識別することを可能にする、Ｃ１２に記載の方法。
［Ｃ１５］
前記ＴＳＳから前記ＰＳＳおよびＳＳＳを判断することをさらに備える、Ｃ１２に記載の方法。
［Ｃ１６］
前記ＴＳＳが、ＰＳＳおよびＳＳＳの関数であるスクランブリングコードを用いて生成される、Ｃ１５に記載の方法。
［Ｃ１７］
前記クラスタ中の異なるノードが、異なる周期性でそれぞれのＴＳＳを送信する、Ｃ１２に記載の方法。
［Ｃ１８］
ＴＳＳがＰＳＳおよびＳＳＳよりも低い頻度で送信される、Ｃ１２に記載の方法。
［Ｃ１９］
異なるノードが、異なる時間リソースまたは異なる周波数リソースのうちの少なくとも１つを使用してそれらのそれぞれのＴＳＳを送信する、Ｃ１２に記載の方法。
［Ｃ２０］
前記ＵＥは、
前記ＴＳＳを送信するために使用される周波数リソースおよび／または時間リソースのロケーション、
使用される特定のシーケンス、
他のノードにとって利用可能な共通シーケンスのシフト、
前記ＴＳＳを生成する際に使用されるスクランブリングコード、
前記ＴＳＳを送信するためにどのアンテナポートが使用されるか、または
ＴＳＳを送信するために使用されるアンテナポートの密度のうちの少なくとも１つによって前記ノードを一意に識別する、Ｃ１２に記載の方法。
［Ｃ２１］
前記ＴＳＳに基づく基準信号受信電力（ＲＳＲＰ）測定、または
前記ＴＳＳに基づく経路損失（ＰＬ）測定のうちの少なくとも１つを実行することをさらに備える、Ｃ１２に記載の方法。
［Ｃ２２］
マクロノードと１つまたは複数の他のタイプのノードとを有するセルのクラスタに属するノードによるワイヤレス通信のための方法であって、
ユーザ機器（ＵＥ）とのランダムアクセスチャネル（ＲＡＣＨ）プロシージャの少なくとも一部分に参加することと、
前記ＲＡＣＨプロシージャの前記一部分中に取得された能力情報に基づいて、前記クラスタ中の他のタイプのノードを検出し、それと通信する前記ＵＥの能力を判断することとを備える、方法。
［Ｃ２３］
前記判断に基づいて前記ＵＥと自律的に通信することをさらに備える、Ｃ２２に記載の方法。
［Ｃ２４］
前記能力情報が、前記ＵＥによって送信されるＭＳＧ１メッセージ中で搬送される、Ｃ２２に記載の方法。
［Ｃ２５］
前記能力情報が、前記ＵＥによって送信されるＭＳＧ３メッセージ中で搬送される、Ｃ２２に記載の方法。
［Ｃ２６］
前記ＲＡＣＨプロシージャ中に受信された検出ＭＳＧ１メッセージに関する情報を前記マクロノードに送信することをさらに備える、Ｃ２２に記載の方法。
［Ｃ２７］
ＲＡＣＨフォーマットが、６つのリソースブロック（ＲＢ）よりも狭い帯域幅を有する、Ｃ２２に記載の方法。
［Ｃ２８］
マクロノードと１つまたは複数の他のタイプのノードとを有するセルのクラスタ内のユーザ機器（ＵＥ）によるワイヤレス通信のための方法であって、
前記クラスタ中の前記他のタイプのノードのうちの１つとのランダムアクセスチャネル（ＲＡＣＨ）プロシージャの少なくとも一部分に参加することと、
前記ＲＡＣＨプロシージャの前記一部分中に、前記クラスタ中の他のタイプのノードを検出し、それと通信する前記ＵＥの能力を搬送することとを備える、方法。
［Ｃ２９］
前記能力情報が、前記ＵＥによって送信されるＭＳＧ１メッセージ中で搬送される、Ｃ２８に記載の方法。
［Ｃ３０］
前記能力情報が、前記ＵＥによって送信されるＭＳＧ３メッセージ中で搬送される、Ｃ２８に記載の方法。
［Ｃ３１］
ＲＡＣＨフォーマットが、６つのリソースブロック（ＲＢ）よりも狭い帯域幅を有する、Ｃ２８に記載の方法。
［Ｃ３２］
マクロノードと１つまたは複数の他のタイプのノードとを有するセルのクラスタに属するノードによるワイヤレス通信のための装置であって、
前記クラスタ内の前記ノードを一意に識別する３次同期信号（ＴＳＳ）を送信するための手段、なお、前記クラスタが１次同期信号（ＰＳＳ）と２次同期信号（ＳＳＳ）とによって識別される、を備える、装置。
［Ｃ３３］
マクロノードと１つまたは複数の他のタイプのノードとを有するセルのクラスタ内のユーザ機器（ＵＥ）によるワイヤレス通信のための装置であって、
３次同期信号（ＴＳＳ）を検出するための手段と、前記クラスタが１次同期信号（ＰＳＳ）と２次同期信号（ＳＳＳ）とによって識別される、
前記ＴＳＳを送信した前記クラスタ内のノードを識別するための手段とを備える、装置。
［Ｃ３４］
マクロノードと１つまたは複数の他のタイプのノードとを有するセルのクラスタに属するノードによるワイヤレス通信のための装置であって、
ユーザ機器（ＵＥ）とのランダムアクセスチャネル（ＲＡＣＨ）プロシージャの少なくとも一部分に参加するための手段と、
前記ＲＡＣＨプロシージャの前記一部分中に取得された能力情報に基づいて、前記クラスタ中の他のタイプのノードを検出し、それと通信する前記ＵＥの能力を判断するための手段とを備える、装置。
［Ｃ３５］
マクロノードと１つまたは複数の他のタイプのノードとを有するセルのクラスタ内のユーザ機器（ＵＥ）によるワイヤレス通信のための装置であって、
前記クラスタ中の前記他のタイプのノードのうちの１つとのランダムアクセスチャネル（ＲＡＣＨ）プロシージャの少なくとも一部分に参加するための手段と、
前記ＲＡＣＨプロシージャの前記一部分中に、前記クラスタ中の他のタイプのノードを検出し、それと通信する前記ＵＥの能力を搬送するための手段とを備える、装置。
［Ｃ３６］
マクロノードと１つまたは複数の他のタイプのノードとを有するセルのクラスタに属するノードによるワイヤレス通信のための装置であって、
前記クラスタ内の前記ノードを一意に識別する３次同期信号（ＴＳＳ）を送信することを行うように構成された少なくとも１つのプロセッサと、なお、前記クラスタが１次同期信号（ＰＳＳ）と２次同期信号（ＳＳＳ）とによって識別される、
前記少なくとも１つのプロセッサに結合されたメモリとを備える、装置。
［Ｃ３７］
マクロノードと１つまたは複数の他のタイプのノードとを有するセルのクラスタ内のユーザ機器（ＵＥ）によるワイヤレス通信のための装置であって、
３次同期信号（ＴＳＳ）を検出することと、なお、前記クラスタが１次同期信号（ＰＳＳ）と２次同期信号（ＳＳＳ）とによって識別される、前記ＴＳＳを送信した前記クラスタ内のノードを識別することとを行うように構成された少なくとも１つのプロセッサと、
前記少なくとも１つのプロセッサに結合されたメモリとを備える、装置。
［Ｃ３８］
マクロノードと１つまたは複数の他のタイプのノードとを有するセルのクラスタに属するノードによるワイヤレス通信のための装置であって、
ユーザ機器（ＵＥ）とのランダムアクセスチャネル（ＲＡＣＨ）プロシージャの少なくとも一部分に参加することと、前記ＲＡＣＨプロシージャの前記一部分中に取得された能力情報に基づいて、前記クラスタ中の他のタイプのノードを検出し、それと通信する前記ＵＥの能力を判断することとを行うように構成された少なくとも１つのプロセッサと、
前記少なくとも１つのプロセッサに結合されたメモリとを備える、装置。
［Ｃ３９］
マクロノードと１つまたは複数の他のタイプのノードとを有するセルのクラスタ内のユーザ機器（ＵＥ）によるワイヤレス通信のための装置であって、
前記クラスタ中の前記他のタイプのノードのうちの１つとのランダムアクセスチャネル（ＲＡＣＨ）プロシージャの少なくとも一部分に参加することと、前記ＲＡＣＨプロシージャの前記一部分中に、前記クラスタ中の他のタイプのノードを検出し、それと通信する前記ＵＥの能力を搬送することとを行うように構成された少なくとも１つのプロセッサと、
前記少なくとも１つのプロセッサに結合されたメモリとを備える、装置。
［Ｃ４０］
マクロノードと１つまたは複数の他のタイプのノードとを有するセルのクラスタに属するノードによるワイヤレス通信のためのプログラム製品であって、
前記クラスタ内の前記ノードを一意に識別する３次同期信号（ＴＳＳ）を送信すること、なお、前記クラスタが１次同期信号（ＰＳＳ）と２次同期信号（ＳＳＳ）とによって識別される、を行うための命令を記憶したコンピュータ可読媒体を備える、プログラム製品。
［Ｃ４１］
マクロノードと１つまたは複数の他のタイプのノードとを有するセルのクラスタ内のユーザ機器（ＵＥ）によるワイヤレス通信のためのプログラム製品であって、
３次同期信号（ＴＳＳ）を検出することと、なお、前記クラスタが１次同期信号（ＰＳＳ）と２次同期信号（ＳＳＳ）とによって識別される、
前記ＴＳＳを送信した前記クラスタ内のノードを識別することとを行うための命令を記憶したコンピュータ可読媒体を備える、プログラム製品。
［Ｃ４２］
マクロノードと１つまたは複数の他のタイプのノードとを有するセルのクラスタに属するノードによるワイヤレス通信のためのプログラム製品であって、
ユーザ機器（ＵＥ）とのランダムアクセスチャネル（ＲＡＣＨ）プロシージャの少なくとも一部分に参加することと、
前記ＲＡＣＨプロシージャの前記一部分中に取得された能力情報に基づいて、前記クラスタ中の他のタイプのノードを検出し、それと通信する前記ＵＥの能力を判断することとを行うための命令を記憶したコンピュータ可読媒体を備える、プログラム製品。
［Ｃ４３］
マクロノードと１つまたは複数の他のタイプのノードとを有するセルのクラスタ内のユーザ機器（ＵＥ）によるワイヤレス通信のためのプログラム製品であって、
前記クラスタ中の前記他のタイプのノードのうちの１つとのランダムアクセスチャネル（ＲＡＣＨ）プロシージャの少なくとも一部分に参加することと、
前記ＲＡＣＨプロシージャの前記一部分中に、前記クラスタ中の他のタイプのノードを検出し、それと通信する前記ＵＥの能力を搬送することとを行うための命令を記憶したコンピュータ可読媒体を備える、プログラム製品。